(57)【要約】【課題】  プリペイドカードの利用状況に関する情報を提供するにあたり、ユーザの興趣性を向上させる。【解決手段】  利用状態管理アプリケーション１３１の実行の際に適用されるスキンを管理する管理サーバ１１０であって、プリペイドカード１７０を保有するユーザ１６０を識別するユーザ識別子を、プリペイドカード１７０と対応付けて登録する登録手段と、前記登録手段による登録が完了した場合に、プリペイドカード１７０と関連付けられたスキンを、プリペイドカード１７０を保有するユーザ１６０の携帯端末１３０に送信する送信手段とを有する。【選択図】図１
2016062473.tif 000002
【特許請求の範囲】
【請求項１】
アプリケーションの実行の際に適用されるスキンを管理する管理サーバであって、
プリペイドカードを保有するユーザを識別するユーザ識別子を、該プリペイドカードと対応付けて登録する登録手段と、
前記登録手段による登録が完了した場合に、前記プリペイドカードと関連付けられたスキンを、前記プリペイドカードを保有するユーザの端末に送信する送信手段と
を有することを特徴とする管理サーバ。
【請求項２】
前記ユーザのプリペイドカードの利用履歴を取得し集計する集計手段と、
前記プリペイドカードと関連付けられた複数の前記スキンの中から、前記集計手段による集計結果に応じたスキンを選択する選択手段と、を有し、
前記送信手段は、
前記選択手段により選択されたスキンを、前記ユーザの端末に送信することを特徴とする請求項１に記載の管理サーバ。
【請求項３】
前記選択手段は、
前記集計手段による集計結果が所定の条件を満たした場合に、該集計結果に応じたスキンを選択することを特徴とする請求項２に記載の管理サーバ。
【請求項４】
前記送信手段は、
前記ユーザ識別子と対応付けて登録されたプリペイドカードの利用履歴の集計結果に応じて選択されたスキンを、前記ユーザの端末に送信することを特徴とする請求項２に記載の管理サーバ。
【請求項５】
前記集計結果は、前記プリペイドカードの累計利用料金、累計利用回数、チャージ回数の少なくともいずれかを含むことを特徴とする請求項２に記載の管理サーバ。
【請求項６】
前記選択手段は、更に、
前記プリペイドカードの利用履歴に含まれる利用場所が、所定の条件を満たした場合に、該利用場所に応じたスキンを選択することを特徴とする請求項２に記載の管理サーバ。
【請求項７】
前記送信手段は、更に、
前記プリペイドカードに描画されている描画内容の元になったコンテンツを提供する提供者からの情報を、前記ユーザに送信することを特徴とする請求項１に記載の管理サーバ。
【請求項８】
前記送信手段は、更に、前記ユーザの端末において前記アプリケーションが起動されることで送信される信号に、所定のコンテンツを特定するための情報が含まれていた場合に、前記コンテンツを提供する提供者からの情報を、前記ユーザの端末に送信することを特徴とする請求項７に記載の管理サーバ。
【請求項９】
アプリケーションの実行の際に適用されるスキンを管理する管理サーバにおける管理方法であって、
プリペイドカードを保有するユーザを識別するユーザ識別子を、該プリペイドカードと対応付けて登録する登録工程と、
前記登録工程において登録が完了した場合に、前記プリペイドカードと関連付けられたスキンを、前記プリペイドカードを保有するユーザの端末に送信する送信工程と
を有することを特徴とする管理方法。
【請求項１０】
アプリケーションの実行の際に適用されるスキンを管理する管理サーバのコンピュータに、
プリペイドカードを保有するユーザを識別するユーザ識別子を、該プリペイドカードと対応付けて登録する登録工程と、
前記登録工程において登録が完了した場合に、前記プリペイドカードと関連付けられたスキンを、前記プリペイドカードを保有するユーザの端末に送信する送信工程と
を実行させるためのプログラム。
【請求項１１】
端末において実行されるアプリケーションと、
前記アプリケーションの実行の際に適用されるスキンを管理する管理サーバと、を含む管理システムであって、
前記管理サーバは、
プリペイドカードを保有するユーザを識別するユーザ識別子を、該プリペイドカードと対応付けて登録する登録手段と、
前記登録手段による登録が完了した場合に、前記プリペイドカードと関連付けられたスキンを、前記プリペイドカードを保有するユーザの端末に送信する送信手段と、を有し、
前記アプリケーションは、前記端末のコンピュータに、
前記送信手段により送信されたスキンを受信する受信工程と、
前記受信工程において受信したスキンを設定する設定工程と
を実行させることを特徴とする管理システム。
【発明の詳細な説明】
【技術分野】
【０００１】
本発明は、管理システム、管理サーバ、管理方法及びプログラムに関する。
【背景技術】
【０００２】
近年、商品やサービスの購入に際してプリペイドカードを利用するユーザが増えている。プリペイドカードとは、事前に代金を支払って購入しておくことで、店舗（インターネット上の購買サイトを含む）で商品やサービスを購入する際に現金の代わりに利用できるカードである。
【０００３】
プリペイドカードの普及に伴い、例えば、利用履歴や残金などを携帯端末上で管理する機会も増えており、携帯端末上でのユーザへの有益な情報提供が、商品やサービスの販売促進において重要な役割を担うようになってきている（例えば、下記特許文献１参照）。
【先行技術文献】
【特許文献】
【０００４】
【特許文献１】特開２００３−３３１１７９号公報
【発明の概要】
【発明が解決しようとする課題】
【０００５】
一方で、従来より、各プリペイドカード販売業者が販売するプリペイドカード自体に大きな差異はなく、ユーザにとってはいずれのプリペイドカード販売業者からプリペイドカードを購入しても大差がない。また、プリペイドカードの利用履歴や残金などの利用状況に関する情報を管理する管理ツールについても同様であり、いずれの管理ツールも興趣性に欠けるといった問題があった。
【０００６】
これに対して、例えば、どのプリペイドカードを購入するかによって、利用履歴や残金などの利用状況に関する情報を提供する際の興趣性に差がつけられれば、特定のプリペイドカードについての販売促進につながるものと期待される。更には、購入したプリペイドカードをどれだけ利用したかによっても興趣性に差がつけられれば、プリペイドカードの利用促進にもつながり、ひいては商品やサービスの販売を促進させることができるものと考えられる。
【０００７】
本発明は上記課題に鑑みてなされたものであり、プリペイドカードの利用状況に関する情報を提供するにあたり、ユーザの興趣性を向上させることを目的とする。
【課題を解決するための手段】
【０００８】
本発明の一実施形態に係る管理サーバは、以下のような構成を有する。すなわち、
アプリケーションの実行の際に適用されるスキンを管理する管理サーバであって、
プリペイドカードを保有するユーザを識別するユーザ識別子を、該プリペイドカードと対応付けて登録する登録手段と、
前記登録手段による登録が完了した場合に、前記プリペイドカードと関連付けられたスキンを、前記プリペイドカードを保有するユーザの端末に送信する送信手段とを有する。
【発明の効果】
【０００９】
本発明の各実施形態によれば、プリペイドカードの利用状況に関する情報を提供するにあたり、ユーザの興趣性を向上させることが可能となる。
【図面の簡単な説明】
【００１０】
【図１】管理システムの全体構成を示す図である。
【図２】管理システムを構成する各サーバのハードウェア構成を示す図である。
【図３】管理システムを構成する各端末のハードウェア構成を示す図である。
【図４】プリペイドカード管理情報の一例を示す図である。
【図５】スキン管理情報の一例を示す図である。
【図６】取得スキンの一覧情報の一例を示す図である。
【図７】管理サーバの機能構成を示す図である。
【図８】ユーザ登録処理の流れを示すフローチャートである。
【図９】プリペイドカード情報管理処理の流れを示すフローチャートである。
【図１０】スキンＩＤ特定処理の流れを示すフローチャートである。
【図１１】端末管理処理の流れを示すフローチャートである。
【図１２】携帯端末の機能構成を示す図である。
【図１３】利用状態管理処理の流れを示すフローチャートである。
【図１４】携帯端末の表示画面の一例を示す図である。
【図１５】携帯端末の表示画面の一例を示す図である。
【図１６】携帯端末の表示画面の一例を示す図である。
【図１７】管理システム全体の処理の流れを示すシーケンス図である。
【図１８】管理サーバの機能構成を示す図である。
【図１９】広告の提供タイミングを示す図である。
【図２０】広告表示処理の流れを示すフローチャートである。
【図２１】携帯端末の表示画面の一例を示す図である。
【発明を実施するための形態】
【００１１】
以下、本発明の各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１２】
［第１の実施形態］
＜１．管理システムの全体構成＞
はじめに、管理システムの全体構成について説明する。図１は、第１の実施形態に係る管理システム１００の全体構成を示す図である。図１に示すように、管理システム１００は、管理サーバ１１０、コンテンツ提供サーバ１２０、スマートフォン等の携帯端末１３０、ノート型パソコン等の情報端末１４０を有する。管理システム１００において、各サーバ（管理サーバ１１０、コンテンツ提供サーバ１２０）と各端末（携帯端末１３０、情報端末１４０）とは、インターネット１５０を介して通信可能に接続されている。
【００１３】
なお、管理サーバ１１０は、プリペイドカードを発行・管理するプリペイドカード管理業者が所有しているものとする。また、コンテンツ提供サーバ１２０は、キャラクタやファッションブランド等のデザインを含むコンテンツ全般（画像データ、動画データ、音楽データ、テキストデータ等）の所有権を有するコンテンツ提供業者（提供者）が所有しているものとする。更に、情報端末１４０は、プリペイドカードを利用可能な加盟店に設置されているものとする。
【００１４】
管理サーバ１１０は、カード管理プログラム１１１と、端末管理プログラム１１２と、プリペイドカード管理情報データベース（以下、単にＤＢと略す）１１３と、スキン管理ＤＢ１１４とを有する。
【００１５】
カード管理プログラム１１１は、プリペイドカード１７０を購入したユーザ１６０によるプリペイドカード１７０の利用情報を、プリペイドカード管理情報に記録することで利用履歴を管理する。なお、本実施形態において、ユーザ１６０が購入したプリペイドカード１７０には、キャラクタやファッションブランド等のデザイン（図１の例では星形七角形のデザイン）を含む描画内容が描画されているものとする。
【００１６】
端末管理プログラム１１２は、購入したプリペイドカード１７０について、ユーザ１６０が管理サーバ１１０にユーザ登録を行った場合に、ユーザ１６０の携帯端末１３０に、プリペイドカード１７０の利用履歴を送信する。また、ユーザ１６０によるプリペイドカード１７０の利用履歴を集計し、集計結果に応じたスキンを携帯端末１３０に送信する。なお、スキンとは、アプリケーションプログラムの外見に関する情報を格納したファイル群のことをいい、アプリケーションプログラムの背景、表示色、フォントなどを使いやすい仕様に変更するためのファイル群のことをいう。本実施形態において、携帯端末１３０に送信されるスキンは、ユーザ１６０が購入したプリペイドカード１７０に描画された描画内容に含まれるキャラクタやファッションブランド等のデザイン（図１の例では星形七角形のデザイン）を含むスキンである。なお、プリペイドカード１７０に描画された描画内容に含まれるデザイン及びスキンに含まれる同様のデザインは、いずれもコンテンツ提供業者より提供されるコンテンツに基づくものである。また、本実施形態において、スキンはプリペイドカード管理業者が生成するものとする。
【００１７】
プリペイドカード管理情報ＤＢ１１３は、プリペイドカードの利用履歴をユーザごとに記録したプリペイドカード管理情報を格納する。ユーザ１６０により購入されたプリペイドカード１７０のプリペイドカード管理情報は、ユーザ１６０のユーザＩＤ（ユーザ識別子）と対応付けてプリペイドカード管理情報ＤＢ１１３に格納される。
【００１８】
スキン管理ＤＢ１１４は、ユーザ１６０の携帯端末１３０に送信されるスキンを格納する。送信されたスキンは、ユーザ１６０の携帯端末１３０上で、プリペイドカード１７０の利用履歴を閲覧するための利用状態管理アプリケーション１３１を実行する際に適用される。なお、スキン管理ＤＢ１１４に格納されるスキンは、コンテンツ提供業者より提供されるコンテンツに基づいてプリペイドカード管理業者が生成し、格納するものとする。また、スキン管理ＤＢ１１４は、格納したスキンとプリペイドカードとの関連付けを定義するとともに、各スキンが使用可能となるための条件（プリペイドカードの利用履歴の集計結果に対する条件）を定義するスキン管理情報を格納する。
【００１９】
コンテンツ提供サーバ１２０は、コンテンツ管理プログラム１２１と、コンテンツＤＢ１２２とを有する。コンテンツ管理プログラム１２１は、プリペイドカード１７０に描画されたキャラクタやファッションブランド等のデザイン及びスキンに含まれる同様のデザインの元となったコンテンツ全般を管理する。コンテンツ管理プログラム１２１は、コンテンツ提供業者が、プリペイドカード管理業者との間でコンテンツ使用料の支払いと引き換えに当該コンテンツの使用権を付与する契約をした場合に、当該コンテンツを提供する。コンテンツＤＢ１２２は、コンテンツ提供業者が保有するコンテンツ及びコンテンツの一覧情報を格納する。
【００２０】
携帯端末１３０は、利用状態管理アプリケーション１３１と、取得スキンＤＢ１３２とを有する。利用状態管理アプリケーション１３１は、管理サーバ１１０にアクセスすることで、プリペイドカード１７０の利用履歴を取得し、携帯端末１３０に表示する。また、プリペイドカード１７０の利用履歴の集計結果に応じて使用可能となったスキンを、管理サーバ１１０より取得する。
【００２１】
これにより、利用状態管理アプリケーション１３１には、プリペイドカード１７０に描画された描画内容に含まれるデザインを含むスキンが設定されることとなる。この結果、利用状態管理アプリケーション１３１実行時の表示画面には、プリペイドカード１７０の描画内容と同様のデザインが表示されることとなる。つまり、ユーザにとっては好みのプリペイドカードを購入することで、利用状態管理アプリケーション１３１の表示画面を好みのデザインにすることができるため、利用履歴や残金などの利用状況に関する情報を閲覧する際の興趣性が増す。
【００２２】
取得スキンＤＢ１３２は、利用状態管理アプリケーション１３１が管理サーバ１１０より取得した複数のスキン及び取得スキンの一覧情報を格納する。取得スキンＤＢ１３２に格納された複数のスキンのうち、利用状態管理アプリケーション１３１の実行時にいずれのスキンを適用するかは、ユーザ１６０が任意に設定できるものとする。
【００２３】
情報端末１４０は加盟店に設置され、ユーザ１６０が加盟店にてプリペイドカード１７０を利用して商品を購入したり、サービスの提供を受けたりした際にプリペイドカード１７０の情報を読み取るカードリーダ１４１と接続されている。
【００２４】
情報端末１４０では、カードリーダ１４１において読み取られたプリペイドカード１７０の情報を、利用料金や加盟店の店舗ＩＤ等とともに、利用情報として管理サーバ１１０に送信する。
【００２５】
＜２．各サーバのハードウェア構成＞
次に、各サーバ（管理サーバ１１０、コンテンツ提供サーバ１２０）のハードウェア構成について説明する。図２は、各サーバのハードウェア構成を示す図である。
【００２６】
図２に示すように、各サーバは、ＣＰＵ（Central Processing Unit）２０１、ＲＯＭ（Read Only Memory）２０２、ＲＡＭ（Random Access Memory）２０３、記憶部２０４を備える。更に、各サーバは、入力部２０５、通信部２０６を備える。なお、各サーバの各部は、バス２０７を介して相互に接続されている。
【００２７】
ＣＰＵ２０１は、記憶部２０４に格納された各種プログラム（カード管理プログラム１１１、端末管理プログラム１１２、コンテンツ管理プログラム１２１等）を実行するコンピュータである。
【００２８】
ＲＯＭ２０２は不揮発性メモリである。ＲＯＭ２０２は、記憶部２０４に格納された各種プログラムを、ＣＰＵ２０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００２９】
ＲＡＭ２０３は、ＤＲＡＭ（Dynamic Random Access Memory）やＳＲＡＭ（Static Random Access Memory）等の主記憶装置である。ＲＡＭ２０３は、記憶部２０４に格納された各種プログラムがＣＰＵ２０１によって実行される際に展開される、作業領域として機能する。
【００３０】
記憶部２０４は、ＣＰＵ２０１により実行される各種プログラム及び各種プログラムがＣＰＵ２０１により実行される際に利用される各種情報を格納する。記憶部２０４が格納する各種情報には、管理サーバ１１０の場合、プリペイドカード管理情報、スキン、スキン管理情報等が含まれる。また、コンテンツ提供サーバ１２０の場合、コンテンツ、コンテンツの一覧情報等が含まれる。
【００３１】
入力部２０５は、各サーバの管理者が各サーバに各種指示を入力する際に用いられる。また、通信部２０６は、インターネット１５０を介して、他のサーバまたは各端末（携帯端末１３０、情報端末１４０）と通信を行う。
【００３２】
＜３．各端末のハードウェア構成＞
次に、各端末（携帯端末１３０、情報端末１４０）のハードウェア構成について説明する。図３は、管理システム１００を構成する各端末のハードウェア構成を示す図である。
【００３３】
図３に示すように、各端末は、ＣＰＵ３０１、ＲＯＭ３０２、ＲＡＭ３０３、記憶部３０４を備える。更に、各端末は、入力部３０５、表示部３０６、通信部３０７を備える。なお、各端末の各部は、バス３０８を介して相互に接続されている。
【００３４】
ＣＰＵ３０１は、記憶部３０４に格納された各種プログラム（例えば、利用状態管理アプリケーション１３１）を実行するコンピュータである。ＲＯＭ３０２は不揮発性メモリである。ＲＯＭ３０２は、記憶部３０４に格納された各種プログラムを、ＣＰＵ３０１が実行するために必要な各種プログラム、データ等を格納する。具体的には、ＢＩＯＳやＥＦＩ等のブートプログラムなどを格納する。
【００３５】
ＲＡＭ３０３は、ＤＲＡＭやＳＲＡＭ等の主記憶装置である。ＲＡＭ３０３は、記憶部３０４に格納された各種プログラムがＣＰＵ３０１によって実行される際に展開される、作業領域として機能する。
【００３６】
記憶部３０４は、ＣＰＵ３０１により実行される各種プログラム及び各種プログラムがＣＰＵ３０１により実行される際に利用される各種情報（例えば、スキン、取得スキンの一覧情報等）を格納する。
【００３７】
入力部３０５は、各端末のユーザが各端末に各種指示を入力する際に用いられる。また、表示部３０６は、例えば各端末がインターネット１５０を介して管理サーバ１１０にアクセスすることで取得した各種表示画面等を表示する。通信部３０７は、インターネット１５０を介して、管理サーバ１１０と通信を行う。
【００３８】
＜４．各ＤＢに格納される情報の説明＞
次に、各サーバ及び各端末のＤＢ（プリペイドカード管理情報ＤＢ１１３、スキン管理ＤＢ１１４、コンテンツＤＢ１２２、取得スキンＤＢ１３２）に格納される情報について説明する。具体的には、各サーバ及び各端末のＤＢに格納される情報のうち、特にプリペイドカード管理情報、スキン管理情報、取得スキンの一覧情報の詳細について説明する。
【００３９】
（１）プリペイドカード管理情報
はじめに管理サーバ１１０のプリペイドカード管理情報ＤＢ１１３に格納されるプリペイドカード管理情報４００について説明する。図４は、プリペイドカード管理情報４００の一例を示す図である。
【００４０】
図４に示すように、プリペイドカード管理情報４００はプリペイドカードＩＤごとに分けて管理されており、それぞれのプリペイドカード管理情報（図４の例では、４００＿１、４００＿２・・・）はユーザＩＤと対応付けられている。例えば、プリペイドカード管理情報４００＿１には、ユーザ１６０が購入したプリペイドカード１７０の登録情報、利用履歴、集計結果等が記録される。なお、図４において、ハッチング部分はプリペイドカードを発行した時点で既にプリペイドカード管理情報に記録されている情報である。また、図４の例では、プリペイドカード管理情報４００＿１の登録情報（プリペイドカードＩＤ、ユーザＩＤ）として、"Ｃ０００００１"（プリペイドカード１７０のプリペイドカードＩＤ）と"ＵＩＤ−Ｘ"（ユーザ１６０のユーザＩＤ）とが登録されている。
【００４１】
更に、プリペイドカード管理情報４００には、利用履歴の項目として、"残金"、"アクション"、"利用料金またはチャージ金額"、"日時"、"店舗（店舗ＩＤ）"が含まれる。更に、利用履歴の集計結果の項目として"累計利用料金"、"累計利用回数"、"チャージ回数"、"ポイント数"、"スキンＩＤ"、"送信情報"等が含まれる。以下、プリペイドカード管理情報４００＿１の場合について、各項目の詳細を説明する。
【００４２】
"残金"には、プリペイドカード１７０の残金が記録される。プリペイドカード１７０の場合、ユーザ１６０は３０００円で購入しているため、利用前の残金には、"￥３０００"が記録されている。
【００４３】
"アクション"には、プリペイドカード１７０を有するユーザ１６０のアクションが記録される。"アクション"の１行目には"購入"が記録されており、２行目以降、プリペイドカード１７０を利用した場合には、"利用"と記録される。また、プリペイドカード１７０をチャージした場合には、"チャージ"と記録される。
【００４４】
"利用料金またはチャージ金額"には、それぞれのアクションに伴う、金額の増減が正負の符号とともに記録される。"利用料金またはチャージ金額"の１行目には、"＋￥３０００"が記録されており、２行目位以降は、プリペイドカード１７０を利用した場合にあっては、負の符号とともに利用料金が記録される。一方、プリペイドカード１７０をチャージした場合にあっては、正の符号とともにチャージ金額が記録される。
【００４５】
"日時"には、それぞれのアクションが行われた日時が記録される。"店舗（店舗ＩＤ）"には、それぞれのアクションが行われた店舗名及び店舗ＩＤが記録される。例えば、図４の例では、プリペイドカード１７０は、東京新宿店（店舗ＩＤ＝Ｓ００１）で購入され、当該店舗で利用されたり、チャージされたりしている。また、東京渋谷店（店舗ＩＤ＝Ｓ０１１）や北海道店（店舗ＩＤ＝Ｓ０３０）でも利用されている。
【００４６】
"累計利用料金"には、ユーザ１６０がプリペイドカード１７０を利用した利用料金の累計値が記録される。累計利用料金は、"利用料金またはチャージ金額"に記録された利用料金（負の符号が付された金額）を加算することで導出される。図４の例では、２０１４年４月２日時点で、ユーザ１６０の累計利用料金は"￥２８５０"となっている。なお、"アクション"が"チャージ"の場合、対応する"累計利用料金"には、前回利用時の累計利用料金がそのまま記録される。
【００４７】
"累計利用回数"には、"アクション"として"利用"が記録された回数が記録される。１回利用されるごとに、"累計利用回数"は１ずつインクリメントされていく。"利用"以外の"アクション"の場合、"累計利用回数"はインクリメントされず、前回利用時の累計利用回数がそのまま記録される。
【００４８】
"チャージ回数"には、"アクション"として"チャージ"が記録された回数が記録される。１回チャージされるごとに、"チャージ回数"が１ずつインクリメントされていく。"チャージ"以外の"アクション"の場合、"チャージ回数"はインクリメントされず、前回チャージ時のチャージ回数がそのまま記録される。
【００４９】
"ポイント数"には、プリペイドカード１７０を利用可能な店舗のうち、特定の店舗において利用した場合に加算されるポイント数が記録される。例えば、プリペイドカード１７０に描画されているキャラクタやファッションブランド等のデザインを含むコンテンツ全般の所有権を有するコンテンツ提供業者の店舗（いわゆる直営店）で利用した場合には、ポイントが加算される。図４の例では、東京渋谷店が、プリペイドカード１７０に描画されているデザインを含むコンテンツ全般の所有権を有するコンテンツ提供業者の直営店であるため、東京渋谷店で利用するごとに、"ポイント数"には、１０ポイントが加算されていく。
【００５０】
"スキンＩＤ"には、プリペイドカード１７０に描画されているデザインを含む様々な種類のスキンのうち、プリペイドカード１７０の利用履歴を集計することで得られた集計結果に応じたスキンのスキンＩＤが記録される。本実施形態に係る管理サーバ１１０では、プリペイドカード１７０の利用履歴を集計した集計結果が所定の使用条件を満たすごとに、新たなスキンがユーザ１６０によって使用可能となるように構成されている。このため、プリペイドカード管理情報４００＿１には、プリペイドカード１７０の利用履歴の集計結果に応じて使用可能となったスキンの"スキンＩＤ"が記録される。
【００５１】
図４の例では、はじめにユーザ１６０がプリペイドカード１７０を購入した際に、スキンＩＤ＝"Ａ−００１"のスキンがユーザ１６０により使用可能なスキンとして選択される。このため"スキンＩＤ"には"Ａ−００１"が記録される。また、"累計利用料金"が"￥６５０"となり、"累計利用回数"が"３回"となった時点で、スキンＩＤ＝"Ａ−００２"のスキンがユーザ１６０により新たに使用可能なスキンとして選択される。このため、"スキンＩＤ"には"Ａ−００２"が記録される。また、北海道店で利用された場合に、スキンＩＤ＝"Ａ−１０１"のスキンがユーザ１６０により新たに使用可能なスキンとして選択される。このため、"スキンＩＤ"には、"Ａ−１０１"が記録される。更に、"累計利用金額"が"￥２８５０"となり、"ポイント数"が"２０"ポイントとなった時点で、スキンＩＤ＝"Ａ−００３"のスキンがユーザ１６０により新たに使用可能なスキンとして選択される。このため、"スキンＩＤ"には"Ａ−００３"が記録される。
【００５２】
"送信情報"には、使用可能となったスキンが、ユーザ１６０の携帯端末１３０に実際に送信されたか否かを示す情報が記録される。図４の例では、スキンＩＤ＝"Ａ−００１"、"Ａ−００２"、"Ａ−１０１"のスキンは、既に携帯端末１３０に送信され、スキンＩＤ＝"Ａ−００３"のスキンは、未だ携帯端末１３０に送信されていないことを示している。
【００５３】
（２）スキン管理情報
次に管理サーバ１１０のスキン管理ＤＢ１１４に格納されているスキン管理情報５００について説明する。図５は、スキン管理情報５００の一例を示す図である。
【００５４】
図５に示すように、スキン管理情報５００には、情報の項目として、"プリペイドカードＩＤ"、"コンテンツＩＤ"、"スキンＩＤ"、"ランク"、"条件"等が含まれる。
【００５５】
"プリペイドカードＩＤ"には、管理サーバ１１０が管理対象としている（つまり、プリペイドカード管理業者が発行・管理する）プリペイドカードの全ての識別子が格納される。本実施形態においてプリペイドカード管理業者は、キャラクタやファッションブランド等のデザインが描画されたプリペイドカードとして、４種類のプリペイドカードを発行している。つまり、プリペイドカード管理業者は、４つのコンテンツ提供業者と契約し、それぞれのコンテンツ提供業者が提供するコンテンツに基づくデザインを、プリペイドカードに描画して発行している。
【００５６】
図５の例では、プリペイドカードＩＤ＝"Ｃ０００００１〜Ｃ０００１００"のプリペイドカードには、コンテンツＩＤ＝"ＡＡＡＡ"のコンテンツに基づくデザインが描画されている。また、プリペイドカードＩＤ＝"Ｃ０００１０１〜Ｃ０００２００"のプリペイドカードには、コンテンツＩＤ＝"ＢＢＢＢ"のコンテンツに基づくデザインが描画されている。また、プリペイドカードＩＤ＝"Ｃ０００２０１〜Ｃ０００３００"のプリペイドカードには、コンテンツＩＤ＝"ＣＣＣＣ"のコンテンツに基づくデザインが描画されている。更に、プリペイドカードＩＤ＝"Ｃ０００３０１〜Ｃ０００４００"のプリペイドカードには、コンテンツＩＤ＝"ＤＤＤＤ"のコンテンツに基づくデザインが描画されている。
【００５７】
"コンテンツＩＤ"には、それぞれのプリペイドカードＩＤのプリペイドカードに描画されているデザインを含むコンテンツ全般のコンテンツＩＤが記録される。
【００５８】
"スキンＩＤ"には、コンテンツＩＤにより特定されるコンテンツに基づくデザインを含むスキンであって、プリペイドカード管理業者により生成された様々な種類のスキンを特定するためのスキンＩＤが記録される。例えば、コンテンツＩＤ＝"ＡＡＡＡ"のコンテンツに基づくデザインを含むスキンには、２１種類のスキンがある。同様に、コンテンツＩＤ＝"ＢＢＢＢ"のコンテンツに基づくデザインを含むスキンには、１５種類のスキンがあり、コンテンツＩＤ＝"ＣＣＣＣ"のコンテンツに基づくデザインを含むスキンには、５０種類のスキンがある。更に、コンテンツＩＤ＝"ＤＤＤＤ"のコンテンツに基づくデザインを含むスキンには、３２種類のスキンがある。
【００５９】
このように、プリペイドカードＩＤとスキンＩＤとはスキン管理情報５００において関連付けられている。なお、図５の例では、説明の便宜上、プリペイドカードＩＤとして７桁の英数字を用いたが、例えば、１６桁の英数字から構成され、先頭６桁にＢＩＮコードが含まれている場合にあっては、先頭６桁とスキンＩＤとを関連付けるようにしてもよい。
【００６０】
"ランク"には、それぞれのスキンＩＤにより特定されるスキンのランクが記録される。それぞれのスキンＩＤにより特定されるスキンをユーザ１６０が使用可能となるための条件は、スキンＩＤごとに設定されており、それぞれの条件を満たすごとに、対応するスキンＩＤにより特定されるスキンを使用することが可能となる。
【００６１】
"条件"には、それぞれの"ランク"に対応するスキンＩＤにより特定されるスキンが使用可能となるための条件（プリペイドカードの利用履歴の集計結果に対する条件）が記録される。"条件"には、更に、"累計利用回数"、"累計利用料金"、"チャージ回数"、"ポイント数"が含まれる。"条件"に含まれるこれらの項目についての集計結果が、閾値を超えることで、対応するスキンＩＤにより特定されるスキンが使用可能なスキンとして選択される。
【００６２】
例えば、プリペイドカードＩＤ＝"Ｃ０００００１"のプリペイドカード１７０を保有するユーザ１６０の場合、スキンＩＤ＝"Ａ−００２"のスキンが使用可能となるためには、下記の条件を満たす必要がある。
・累計利用回数＞ｔｈ２１
・累計利用料金＞ｔｈ２２
・チャージ回数＞ｔｈ２３
・ポイント数＞ｔｈ２４
上記条件を満たす場合、ユーザ１６０によるプリペイドカード１７０の利用履歴の集計結果がランク＝"２"に到達したと判断され、対応するスキンＩＤ＝"Ａ−００２"が使用可能なスキンとして選択される。なお、ランク＝"１"のスキンは、利用履歴の集計結果に関わらず、プリペイドカード１７０を購入した時点で必ずユーザ１６０による使用が可能となるスキンである。
【００６３】
また、図５に示すように、"条件"に含まれる項目は、利用履歴の集計結果に関する項目だけではない。特定の店舗においてプリペイドカード１７０を利用した場合にあっては、利用場所に応じた特定のスキンが使用可能となるように条件が設定されている。このような条件設定を行うことで、ユーザ１６０は、例えば、地域固有のデザイン（いわゆるご当地キャラクタのデザイン）を含むスキンを使用することが可能となる。
【００６４】
図５の例では、コンテンツＩＤ＝"ＡＡＡＡ"のコンテンツに基づくデザインが描画されたプリペイドカードの場合、店舗ＩＤ＝"Ｓ０３０"（北海道店）において利用すると、スキンＩＤ＝"Ａ−１０１"のスキンが使用可能なスキンとして選択される。なお、スキンＩＤ＝"Ａ−１０１"のスキンは、北海道店固有のスキンである。
【００６５】
なお、図５に示すように、使用可能となるための"条件"は、コンテンツＩＤごとに異なる閾値が設定される。更に、コンテンツＩＤごとにランク数も異なっており、コンテンツＩＤごとに、スキンが変化する回数も異なっている。
【００６６】
（３）取得スキンの一覧情報
次に、携帯端末１３０の取得スキンＤＢ１３２に格納される取得スキンの一覧情報６００について説明する。図６は、取得スキンの一覧情報６００の一例を示す図である。
【００６７】
図６に示すように、取得スキンの一覧情報６００には、情報の項目として、"ユーザＩＤ"、"プリペイドカードＩＤ"、"取得スキンＩＤ"等が含まれる。
【００６８】
"ユーザＩＤ"には、携帯端末１３０を所有するユーザ１６０が、管理サーバ１１０にユーザ登録した際のユーザＩＤが格納される。"プリペイドカードＩＤ"には、ユーザ１６０が管理サーバ１１０にユーザ登録したプリペイドカード１７０のプリペイドカードＩＤが格納される。図６の例では、プリペイドカードＩＤ＝"Ｃ０００００１"が格納される。
【００６９】
"取得スキンＩＤ"は、ユーザ１６０がプリペイドカード１７０について取得したスキンのスキンＩＤが格納される。図６の例では、ユーザ１６０は、プリペイドカード１７０について、スキンＩＤ＝"Ａ−００１"、"Ａ−００２"、"Ａ−１０１"の３種類のスキンを取得している。
【００７０】
＜５．管理サーバの機能構成＞
次に、カード管理プログラム１１１及び端末管理プログラム１１２がＣＰＵ２０１により実行されることで管理サーバ１１０において実現される機能について説明する。図７は、管理サーバ１１０の機能構成を示す図である。図７に示すように、管理サーバ１１０は、カード情報登録部７１１、利用状態記録部７１２、利用状態判定部７２１、スキン送信部７２２を有する。
【００７１】
カード情報登録部７１１は、プリペイドカード１７０を購入したユーザ１６０より、プリペイドカードＩＤ（Ｃ０００００１）とユーザＩＤ（ＵＩＤ−Ｘ）とが含まれる信号として、ユーザの登録要求を受け付ける。また、受け付けた登録要求より抽出したプリペイドカードＩＤ（Ｃ０００００１）に対応するプリペイドカード管理情報４００＿１を読み出し、"ユーザＩＤ"に、受け付けた登録要求より抽出したユーザＩＤ（ＵＩＤ−Ｘ）を登録する。このように、カード情報登録部７１１では、プリペイドカードを購入したユーザのユーザＩＤと、ユーザにより購入されたプリペイドカードのプリペイドカードＩＤとを対応付ける。
【００７２】
利用状態記録部７１２は、情報端末１４０より送信される利用情報に含まれる、ユーザＩＤ、利用料金、加盟店の店舗ＩＤ等をプリペイドカード管理情報４００＿１に記録する。具体的には、利用情報に含まれるプリペイドカードＩＤ（Ｃ０００００１）に対応するプリペイドカード管理情報４００＿１を読み出し、読み出したプリペイドカード管理情報４００＿１に、利用情報に含まれる利用料金や加盟店の店舗ＩＤ等を記録する。
【００７３】
利用状態判定部７２１は、ユーザ１６０が何等かのアクションを起こすことで、プリペイドカード管理情報４００＿１の利用履歴が更新された場合に実行される。具体的には、プリペイドカード管理情報４００＿１を用いてユーザ１６０の利用履歴を集計し、集計結果をプリペイドカード管理情報４００＿１に記録する。また、集計結果とスキン管理情報５００とを対比することで、新たなスキンが使用可能になったか否かを判定する。更に、新たなスキンが使用可能になったと判定した場合、当該スキンのスキンＩＤを、プリペイドカード管理情報４００＿１に記録する。
【００７４】
スキン送信部７２２は、携帯端末１３０において利用状態管理アプリケーション１３１が起動されると、携帯端末１３０に対して、使用可能なスキンとして選択されたスキンを送信する。具体的には、まず、携帯端末１３０よりプリペイドカード管理情報の送信を要求する信号として、送信要求を受信することで利用状態管理アプリケーション１３１が起動されたことを認識する。そして、当該送信要求に含まれるプリペイドカードＩＤ（＝"Ｃ０００００１"）のプリペイドカード管理情報４００＿１を読み出す。更に、プリペイドカード管理情報４００＿１において"送信情報"に未送信と記録されているスキンの有無を判定する。"送信情報"に未送信と記録されているスキンがあると判定した場合には、対応するスキンＩＤ（＝"Ａ−００３"）を抽出し、抽出したスキンＩＤにより特定されるスキンを、送信要求の要求元の携帯端末１３０に送信する。これにより、使用可能になったスキン（スキンＩＤ＝"Ａ−００３"のスキン）がユーザ１６０に送信されることとなる。
【００７５】
なお、未送信のスキンがスキン送信部７２２により送信されると、プリペイドカード管理情報４００＿１の"送信情報"が"未送信"から"送信済み"に書き換えられる。
【００７６】
＜６．管理サーバにより実行される処理＞
次に、管理サーバ１１０により実行される各種処理（ユーザ登録処理、プリペイドカード情報管理処理、スキンＩＤ特定処理、端末管理処理）について説明する。
【００７７】
（１）ユーザ登録処理
はじめに、カード情報登録部７１１によるユーザ登録処理の流れについて説明する。図８は、ユーザ登録処理の流れを示すフローチャートである。
【００７８】
ステップＳ８０１において、カード情報登録部７１１は、ユーザの登録要求を受信したか否かを判定する。プリペイドカード１７０を購入したユーザ１６０は、ユーザ登録を行うべく、利用状態管理アプリケーション１３１を起動する。ユーザ登録を行っていない状態で利用状態管理アプリケーション１３１を起動すると、携帯端末１３０の表示画面には、ユーザ登録画面が表示される。そこで、ユーザ１６０は、当該ユーザ登録画面において、購入したプリペイドカード１７０のプリペイドカードＩＤ（＝"Ｃ０００００１"）とユーザＩＤ（＝"ＵＩＤ−Ｘ"）とを入力し、管理サーバ１１０にユーザの登録要求を送信する。これにより、管理サーバ１１０では、ユーザの登録要求を受信する。
【００７９】
ステップＳ８０１においてユーザの登録要求を受信したと判定した場合には、ステップＳ８０２に進む。ステップＳ８０２において、カード情報登録部７１１は、当該登録要求に含まれるプリペイドカードＩＤとユーザＩＤとを抽出する。
【００８０】
ステップＳ８０３において、カード情報登録部７１１は、抽出したプリペイドカードＩＤに対応するプリペイドカード管理情報４００＿１を読み出す。ステップＳ８０４において、カード情報登録部７１１は、抽出したユーザＩＤを、読み出したプリペイドカード管理情報４００＿１の"ユーザＩＤ"に記録する。
【００８１】
ステップＳ８０５において、カード情報登録部７１１は、ユーザの登録要求を受信した日時を、読み出したプリペイドカード管理情報４００＿１の"日時"に記録する。なお、ユーザの登録要求に、ユーザ１６０がプリペイドカード１７０を購入した店舗の店舗ＩＤが含まれていた場合にあっては、読み出したプリペイドカード管理情報４００＿１の"店舗（店舗ＩＤ）"に、登録要求に含まれていた店舗ＩＤを記録する。
【００８２】
なお、カード情報登録部７１１によるユーザ登録処理が完了すると、管理サーバ１１０より、スキン（スキンＩＤ＝"Ａ−００１"のスキン）及びプリペイドカード管理情報４００＿１の残金等が送信される。これにより、携帯端末１３０では、受信したスキンを設定するとともに、設定したスキンが適用された利用状態管理アプリケーション１３１の初期画面を表示させることができる。
【００８３】
（２）プリペイドカード情報管理処理
次に、利用状態記録部７１２及び利用状態判定部７２１によるプリペイドカード情報管理処理の流れについて説明する。図９は、プリペイドカード情報管理処理の流れを示すフローチャートである。
【００８４】
ステップＳ９０１において、利用状態記録部７１２は、プリペイドカードを利用するユーザが何等かのアクションを起こしたか否かを判定する。具体的には、プリペイドカードを利用可能な加盟店より利用情報を受信したか否かを判定する。あるいは、プリペイドカードのチャージ情報を受信したか否かを判定する。
【００８５】
プリペイドカードの利用情報及びチャージ情報のいずれも受信していないと判定した場合には、ユーザ１６０によるアクションがないと判定し、アクションがあるまで待機する。一方、プリペイドカードの利用情報またはチャージ情報のいずれかを受信したと判定した場合には、ユーザ１６０によるアクションがあったと判定し、ステップＳ９０２に進む。
【００８６】
ステップＳ９０２において、利用状態記録部７１２は、利用情報またはチャージ情報に含まれるプリペイドカードＩＤ（＝"Ｃ０００００１"）を抽出する。更に、ステップＳ９０３において、抽出したプリペイドカードＩＤに対応するプリペイドカード管理情報４００＿１を読み出す。
【００８７】
ステップＳ９０４において、利用状態記録部７１２は、アクションの内容を判定する。ステップＳ９０１において受信した情報が利用情報であった場合には、"アクション"＝"利用"と判定し、ステップＳ９０５に進む。一方、ステップＳ９０１において受信した情報がチャージ情報であった場合には、"アクション"＝"チャージ"と判定し、ステップＳ９１０に進む。
【００８８】
ステップＳ９０５において、利用状態記録部７１２は、利用情報に含まれる、利用料金、日時、利用した店舗の店舗ＩＤを、プリペイドカード管理情報４００＿１に記録する。
【００８９】
ステップＳ９０６において、利用状態判定部７２１は、ステップＳ９０５において新たに利用料金等が記録された後の残金を算出し、算出結果をプリペイドカード管理情報４００＿１に記録する。
【００９０】
ステップＳ９０７において、利用状態判定部７２１は、ステップＳ９０５において新たに利用料金等が記録された後の累計利用料金を集計し、集計結果をプリペイドカード管理情報４００＿１に記録する。
【００９１】
ステップＳ９０８において、利用状態判定部７２１は、累計利用回数をインクリメントし、プリペイドカード管理情報４００＿１に記録する。更に、ステップＳ９０９において、利用状態判定部７２１は、ステップＳ９０５において抽出した店舗ＩＤが、ポイント加算の対象となっている店舗であるか否かを判定する。具体的には、スキン管理情報５００を参照することで、ポイント加算の対象となっている店舗であるか否かを判定する。判定の結果、ポイント加算の対象となっている店舗であると判定した場合には、所定のポイント数を加算したうえで、プリペイドカード管理情報に記録する。
【００９２】
一方、ステップＳ９１０において、利用状態判定部７２１は、チャージ情報に含まれる、チャージ金額、日時、チャージした店舗の店舗ＩＤを、プリペイドカード管理情報４００＿１に記録する。
【００９３】
ステップＳ９１１において、利用状態判定部７２１は、ステップＳ９１０において新たにチャージ金額等が記録された後の残金を算出し、算出結果をプリペイドカード管理情報４００＿１に記録する。
【００９４】
ステップＳ９１２において、利用状態判定部７２１は、スキンＩＤ特定処理を実行する。なお、スキンＩＤ特定処理の詳細は、図１０を用いて後述する。ステップＳ９１２におけるスキンＩＤ特定処理が完了すると、今回のアクションに対するプリペイドカード情報管理処理を終了する。
【００９５】
（３）スキンＩＤ特定処理
次に、利用状態判定部７２１によるスキンＩＤ特定処理（ステップＳ９１２）の詳細について説明する。図１０は、利用状態判定部７２１によるスキンＩＤ特定処理の流れを示すフローチャートである。
【００９６】
ステップＳ１００１において、利用状態判定部７２１は、プリペイドカードＩＤ（＝"Ｃ０００００１"）に応じた条件を、スキン管理情報５００より読み出す。
【００９７】
ステップＳ１００２において、利用状態判定部７２１は、読み出したスキン管理情報５００と、プリペイドカード管理情報４００＿１の"店舗ＩＤ"、"累計利用料金"、"累計利用回数"、"チャージ回数"、"ポイント数"とを比較する。
【００９８】
ステップＳ１００３において、利用状態判定部７２１は、ステップＳ１００２における比較の結果に基づいて、プリペイドカード１７０のランクを特定する。ステップＳ１００４において、利用状態判定部７２１は、ステップＳ１００３において特定したランクに対応付けられたスキンＩＤを特定する。そして、特定したスキンＩＤが未だプリペイドカード管理情報４００＿１に記録されていない場合には、プリペイドカード管理情報４００＿１に記録する。なお、このときプリペイドカード管理情報４００＿１の"送信情報"には"未送信"が記録される。
【００９９】
（４）端末管理処理
次に、スキン送信部７２２による端末管理処理の流れについて説明する。図１１は、スキン送信部７２２による端末管理処理の流れを示すフローチャートである。
【０１００】
ステップＳ１１０１において、スキン送信部７２２は、携帯端末１３０の利用状態管理アプリケーション１３１が起動したか否かを判定する。具体的には、携帯端末１３０より、プリペイドカード管理情報の送信要求を受信したか否かを判定する。ステップＳ１１０１において、プリペイドカード管理情報の送信要求を受信していないと判定した場合には、携帯端末１３０において利用状態管理アプリケーション１３１が起動していないと判定し、起動するまで待機する。
【０１０１】
一方、プリペイドカード管理情報の送信要求を受信したと判定した場合には、携帯端末１３０において利用状態管理アプリケーション１３１が起動したと判定し、ステップＳ１１０２に進む。ステップＳ１１０２において、スキン送信部７２２は、プリペイドカード管理情報の送信要求に含まれるプリペイドカードＩＤ（＝"Ｃ０００００１"）を抽出する。
【０１０２】
ステップＳ１１０３において、スキン送信部７２２は、ステップＳ１１０２において抽出したプリペイドカードＩＤに対応するプリペイドカード管理情報４００＿１を読み出す。ステップＳ１１０４において、スキン送信部７２２は、前回のループで読み出したプリペイドカード管理情報４００＿１と今回のループで読み出したプリペイドカード管理情報４００＿１とを比較し、"アクション"が更新されたか否かを判定する。
【０１０３】
ステップＳ１１０４において、"アクション"が更新されたと判定した場合には、ステップＳ１１０５に進む。なお、利用状態管理アプリケーション１３１が起動してから、１回目のループの場合には、"アクション"が更新されたか否かに関わらず、ステップＳ１１０５に進む。
【０１０４】
ステップＳ１１０５において、スキン送信部７２２は、今回のループで読み出したプリペイドカード管理情報に含まれる"残金"に記録された現時点での金額及びその他の利用履歴を、携帯端末１３０に送信する。これにより、利用状態管理アプリケーション１３１が起動している間は、プリペイドカードの利用履歴の変化を、リアルタイムに携帯端末１３０に送信することができる。
【０１０５】
ステップＳ１１０６において、スキン送信部７２２は、プリペイドカード管理情報４００＿１に基づいて、未送信のスキンがあるか否かを判定する。ステップＳ１１０６において、未送信のスキンがあると判定した場合には、ステップＳ１１０７に進む。ステップＳ１１０７において、スキン送信部７２２は、未送信のスキンを携帯端末１３０に送信する。
【０１０６】
ステップＳ１１０８において、スキン送信部７２２は、プリペイドカード管理情報４００＿１において、今回送信したスキンのスキンＩＤに対応する"送信情報"を、"未送信"から"送信済み"に書き換える。
【０１０７】
ステップＳ１１０９において、スキン送信部７２２は、携帯端末１３０において利用状態管理アプリケーション１３１が終了したか否かを判定する。携帯端末１３０では、利用状態管理アプリケーション１３１を終了する際に、管理サーバ１１０に対して、終了情報を送信する。これにより、スキン送信部７２２では、携帯端末１３０より終了情報が送信されたか否かに基づいて、利用状態管理アプリケーション１３１が終了したか否かを判定することができる。
【０１０８】
ステップＳ１１０９において、利用状態管理アプリケーション１３１が終了していないと判定した場合には、ステップＳ１１０３に戻り、ステップＳ１１０３からステップＳ１１０８までの処理を繰り返す。これにより、利用状態管理アプリケーション１３１が起動中に、プリペイドカード１７０が利用され、新たなスキンが使用可能なスキンとして選択された場合、当該新たに使用可能となったスキンを、リアルタイムに携帯端末１３０に送信することが可能となる。
【０１０９】
ステップＳ１１０９において、利用状態管理アプリケーション１３１が終了したと判定した場合には、端末管理処理を終了する。
【０１１０】
＜７．携帯端末の機能構成＞
次に、利用状態管理アプリケーション１３１がＣＰＵ３０１により実行されることで携帯端末１３０において実現される機能について説明する。図１２には、携帯端末１３０の機能構成を示す図である。図１２に示すように、携帯端末１３０は、ユーザ登録部１２０１、スキン取得部１２０２、プリペイドカード管理情報取得部１２０３、表示制御部１２０４を有する。
【０１１１】
ユーザ登録部１２０１は、プリペイドカード１７０を購入したユーザ１６０のユーザＩＤを、プリペイドカード管理情報４００＿１に登録する。具体的には、ユーザ１６０により購入されたプリペイドカード１７０のプリペイドカードＩＤの入力と、ユーザ１６０のユーザＩＤの入力とを受け付け、ユーザの登録要求を管理サーバ１１０に送信する。
【０１１２】
スキン取得部１２０２は、管理サーバ１１０より、未送信のスキンを取得する。プリペイドカード管理情報取得部１２０３は、利用状態管理アプリケーション１３１の起動時に、管理サーバ１１０に対して、プリペイドカード管理情報の現時点での"残金"及びその他の利用履歴を含むプリペイドカード管理情報４００の送信要求を行う。なお、利用履歴には、"残金"の他、"利用料金またはチャージ金額"、"日時"、"店舗（店舗ＩＤ）"が含まれるものとする。また、プリペイドカード管理情報取得部１２０３では、プリペイドカード管理情報の送信要求に、プリペイドカードＩＤを含めて送信する。
【０１１３】
表示制御部１２０４は、利用状態管理アプリケーション１３１が提供する表示画面の表示を制御する。表示制御部１２０４では、スキン取得部１２０２が新たにスキンを取得した場合や、プリペイドカード管理情報取得部１２０３が、更新されたプリペイドカード管理情報４００＿１を取得した場合等に、これらがリアルタイムに表示されるように表示画面を制御する。
【０１１４】
＜８．携帯端末により実行される処理＞
次に、携帯端末１３０の利用状態管理アプリケーション１３１により実行される利用状態管理処理について説明する。
【０１１５】
図１３は、利用状態管理アプリケーション１３１による利用状態管理処理の流れを示すフローチャートである。利用状態管理アプリケーション１３１が起動すると、図１３に示すフローチャートが実行される。なお、図１３の説明にあたり、利用状態管理アプリケーション１３１では、既にユーザ登録が完了し、管理サーバ１１０より取得したスキン（スキンＩＤ＝"Ａ−００１"）が設定されているものとする。
【０１１６】
ステップＳ１３０１において、プリペイドカード管理情報取得部１２０３は、利用状態管理アプリケーション１３１が管理対象としているプリペイドカードのプリペイドカードＩＤを識別する。
【０１１７】
ステップＳ１３０２において、表示制御部１２０４は、現在、利用状態管理アプリケーション１３１において設定されているスキンを読み出す。
【０１１８】
ステップＳ１３０３において、プリペイドカード管理情報取得部１２０３は、プリペイドカード管理情報の送信要求を管理サーバ１１０に送信する。更に、ステップＳ１３０４において、プリペイドカード管理情報取得部１２０３は、管理サーバ１１０より送信されたプリペイドカード管理情報４００＿１を取得する。また、ステップＳ１３０５において、スキン取得部１２０２は、管理サーバ１１０よりスキンが送信された場合にあっては、これを取得する。
【０１１９】
ステップＳ１３０６において、表示制御部１２０４は、ステップＳ１３０２において読み出したスキンと、ステップＳ１３０４において取得したプリペイドカード管理情報とを適用させた利用状態管理アプリケーション１３１の表示画面を表示する。なお、ステップＳ１３０５においてスキンを新たに取得した場合にあっては、スキンを新たに取得した旨のメッセージを表示画面に表示する。
【０１２０】
ステップＳ１３０７において、表示制御部１２０４は、ユーザ１６０より、スキンの変更指示を受け付けたか否かを判定する。ステップＳ１３０７において、スキンの変更指示を受け付けたと判定した場合には変更指示されたスキンを設定し、ステップＳ１３０８に進む。ステップＳ１３０８において、表示制御部１２０４は、設定されたスキンを読み出し、ステップＳ１３０９に進む（読み出したスキンは、次のループのステップＳ１３０６において表示画面に適用される）。
【０１２１】
一方、ステップＳ１３０７において、スキンの変更指示を受け付けていないと判定した場合には、直接ステップＳ１３０９に進む。
【０１２２】
ステップＳ１３０９において、表示制御部１２０４は、利用状態管理アプリケーション１３１の終了指示を受け付けたか否かを判定する。ステップＳ１３０９において、利用状態管理アプリケーション１３１の終了指示を受け付けていないと判定した場合には、ステップＳ１３０４に戻る。そして、ステップＳ１３０４〜Ｓ１３０８までの処理を繰り返す。
【０１２３】
一方、ステップＳ１３０９において、利用状態管理アプリケーション１３１の終了指示を受け付けたと判定した場合には、ステップＳ１３１０に進む。ステップＳ１３１０において、表示制御部１２０４は、利用状態管理アプリケーション１３１が終了したことを管理サーバ１１０に通知する。その後、利用状態管理アプリケーション１３１を終了する。
【０１２４】
＜９．携帯端末の表示画面の説明＞
次に、携帯端末１３０の表示画面の表示例について説明する。図１４〜図１６は、携帯端末１３０の表示画面の表示例を示す図である。
【０１２５】
図１４は、携帯端末１３０の表示画面１４１０において、ユーザ登録処理時に表示されるユーザ登録画面を説明するための図である。図１４（ａ）は、ユーザ登録処理が行われる前の利用状態管理アプリケーション１３１のアイコン１４２０が、表示画面１４１０において表示された様子を示している。
【０１２６】
この状態で、アイコン１４２０をタップし、利用状態管理アプリケーション１３１を起動させると、図１４（ｂ）に示すユーザ登録画面１４３０が表示される。図１４（ｂ）に示すように、ユーザ登録画面１４３０には、プリペイドカードＩＤを入力する入力欄１４３１と、ユーザＩＤを入力する入力欄１４３２とが設けられている。
【０１２７】
ユーザ１６０は、購入したプリペイドカード１７０に記載されているプリペイドカードＩＤを入力欄１４３１に入力する。また、ユーザ１６０は、自身のユーザＩＤを入力欄１４３２に入力する。更に、ユーザ１６０は、送信ボタン１４３３を押圧する。これにより、ユーザ登録部１２０１は、プリペイドカードＩＤとユーザＩＤとを含むユーザの登録要求を管理サーバ１１０に送信する。
【０１２８】
図１５は、ユーザ登録が完了した後の携帯端末１３０の表示画面１４１０を説明するための図である。図１５（ａ）は、ユーザ登録処理が行われた後の利用状態管理アプリケーション１３１のアイコン１５２０が、表示画面１４１０において表示された様子を示している。図１５（ａ）に示すように、ユーザ登録処理が完了することで、利用状態管理アプリケーション１３１の管理対象がプリペイドカードＩＤ＝"Ｃ０００００１"のプリペイドカードであることが確定する。このため、アイコン１５２０には、プリペイドカードＩＤ＝"Ｃ００００００１"であることを示す情報が表示される。なお、アイコン１５２０には、プリペイドカード１７０に描画されたデザインと同様のデザインが施されているものとする。
【０１２９】
図１５（ａ）に示す状態で、アイコン１５２０をタップすることで、利用状態管理アプリケーション１３１が起動し、表示画面１４１０には、図１５（ｂ）に示すように、初期画面として残高画面１５３０が表示される。残高画面１５３０には、プリペイドカード管理情報４００＿１に記録されている残金が表示される。また、設定されているスキンが適用されることで、プリペイドカード１７０に描画されたデザインと同様のデザイン１５３２が表示される。なお、残高画面１５３０は、利用状態管理アプリケーション１３１の起動時の初期画面としてだけでなく、"残高"ボタン１５３１が押圧されることによっても表示される。
【０１３０】
図１５（ｂ）に示すよう状態で、"履歴"ボタン１５４１が押圧されると、図１５（ｃ）に示すように、表示画面１４１０には履歴画面１５４０が表示される。履歴画面１５４０には、プリペイドカード管理情報４００＿１に記録されている利用履歴が表示される。また、プリペイドカード１７０に描画されたデザインと同様のデザイン１５４２が表示される。
【０１３１】
図１６（ａ）は、図１５（ｂ）または（ｃ）に示す状態で、"お知らせ"ボタン１５５０がタップされることで、お知らせ画面１６１０が表示された様子を示している。お知らせ画面１６１０には、管理サーバ１１０より新たなスキンが送信されたことを通知するメッセージが表示される。また、新たに送信されたスキンを特定するスキンＩＤと、当該スキンに含まれるデザインが表示される。
【０１３２】
図１６（ｂ）は、図１５（ｂ）、（ｃ）または図１６（ａ）に示す状態において、"設定"ボタン１６２１がタップされることで、スキン設定画面１６２０が表示された様子を示している。図１６（ｂ）に示すように、スキン設定画面１６２０には、取得スキンの一覧情報６００に格納されているスキンＩＤが一覧表示される。
【０１３３】
ユーザ１６０は、スキン設定画面１６２０において、所望のスキンＩＤを選択することで、任意のスキンを設定することができる。
【０１３４】
＜１０．管理システムにおける処理の流れ＞
次に管理システム１００全体の処理の流れについて説明する。図１７は、管理システム１００全体の処理の流れを示すシーケンス図である。なお、図１７に示す処理の流れを説明するにあたり、携帯端末１３０には予め利用状態管理アプリケーション１３１がインストールされているものとする。
【０１３５】
ステップＳ１７０１において、ユーザ１６０は、プリペイドカードの販売者１７３０に対して対価を支払い、ステップＳ１７０２において、プリペイドカードを入手する。更に、ステップＳ１７０３において、携帯端末１３０に対して利用状態管理アプリケーション１３１の起動指示を入力する。これにより、ステップＳ１７０４において、利用状態管理アプリケーション１３１が起動し、ユーザ登録画面が表示される。
【０１３６】
ユーザ登録画面が表示された状態で、ユーザ１６０が登録情報（ユーザＩＤ、プリペイドカードＩＤ）を入力すると（ステップＳ１７０５）、携帯端末１３０から管理サーバ１１０に対して、当該登録情報が送信される（ステップＳ１７０６）。
【０１３７】
登録情報を受信した管理サーバ１１０では、プリペイドカードＩＤに対応するプリペイドカード管理情報を読み出し、ユーザＩＤを記録することでユーザ登録を完了する（ステップＳ１７０７）。
【０１３８】
ユーザ登録が完了すると管理サーバ１１０は、携帯端末１３０に対してスキン及びプリペイドカード管理情報を送信する（ステップＳ１７０８）。携帯端末１３０がスキン及びプリペイドカード管理情報を受信すると、利用状態管理アプリケーション１３１では、受信したスキンを設定するとともに、設定したスキンが適用された初期画面を表示する（ステップＳ１７０９）。これにより、ユーザ１６０は、購入したプリペイドカードに描画された描画内容に含まれるデザインを携帯端末１３０の表示画面１４１０において見ることができる。また、初期画面には、プリペイドカード管理情報として、プリペイドカード購入直後の残金が表示される。これにより、ユーザ１６０は、自身の購入したプリペイドカードの金額を確認することができる。
【０１３９】
ユーザ登録の完了を確認すると、ユーザ１６０は、利用状態管理アプリケーション１３１の終了指示を入力する（ステップＳ１７１０）。この結果、利用状態管理アプリケーション１３１が終了する（ステップＳ１７１１）。
【０１４０】
その後、ユーザ１６０が加盟店において商品を購入する際にプリペイドカードを利用すると（ステップＳ１７１２）、加盟店の情報端末１４０から管理サーバ１１０に対して、利用情報が送信される（ステップＳ１７１３）。利用情報を受信した管理サーバ１１０では、プリペイドカード管理情報を更新する（ステップＳ１７１４）。
【０１４１】
その後、ユーザ１６０がプリペイドカードの残金等を確認するために、利用状態管理アプリケーション１３１の起動指示を入力する（ステップＳ１７１５）。これにより、携帯端末１３０では、利用状態管理アプリケーション１３１が起動する（ステップＳ１７１６）。
【０１４２】
利用状態管理アプリケーション１３１では、プリペイドカード管理情報の送信要求を管理サーバ１１０に送信する（ステップＳ１７１７）。送信要求を受信した管理サーバ１１０では、送信要求に含まれるプリペイドカードＩＤに応じたプリペイドカード管理情報を読み出し、携帯端末１３０に送信する（ステップＳ１７１８）。
【０１４３】
更に、管理サーバ１１０では、読み出したプリペイドカード管理情報に基づいて、未送信のスキンがあるか否かを判定する。未送信のスキンがあると判定した場合には、当該スキンを携帯端末１３０に送信する（ステップＳ１７１９）。
【０１４４】
プリペイドカード管理情報を受信すると、利用状態管理アプリケーション１３１では、受信したプリペイドカード管理情報を反映した初期画面を表示する（ステップＳ１７２０）。なお、初期画面の表示に際して、利用状態管理アプリケーション１３１は、すでに設定されているスキンを適用させる。また、ステップＳ１７１９において新たにスキンを受信した場合にあっては、当該スキンを受信したことを通知するメッセージを表示する（ステップＳ１７２１）。
【０１４５】
メッセージの表示を受け、ユーザ１６０がスキンの変更を指示した場合（ステップＳ１７２２）、利用状態管理アプリケーション１３１は、スキンの設定を変更する（ステップＳ１７２３）。これにより、新たに設定したスキンが初期画面に適用される。
【０１４６】
その後、ユーザ１６０が利用状態管理アプリケーション１３１の終了指示を入力すると（ステップＳ１７２４）、利用状態管理アプリケーション１３１を終了する（ステップＳ１７２５）。
【０１４７】
＜１１．まとめ＞
以上の説明から明らかなように、本実施形態に係る管理サーバ１１０では、
・ユーザ登録が完了したユーザに対して、プリペイドカードに描画された描画内容に含まれるデザインを含むスキンを送信する構成とした。
・プリペイドカードの利用情報を取得し、ユーザごとに利用履歴を集計する構成とした。
・利用状態管理アプリケーションの起動中に、利用履歴をユーザに送信する構成とした。
・プリペイドカードに描画された描画内容に含まれるデザインを含むスキンを複数用意しておき、利用履歴の集計結果に応じたスキンを、ユーザに送信する構成とした。
【０１４８】
これにより、ユーザは利用状態管理アプリケーションを起動させた際に、自身が購入したプリペイドカードに描画された描画内容に含まれるデザインを、携帯端末上に表示させることが可能となる。この結果、ユーザは、好みのプリペイドカードを購入するようになり、特定のプリペイドカードの販売が促進されることとなる。
【０１４９】
また、プリペイドカードの利用履歴に応じて様々なスキンを取得できるため、ユーザはプリペイドカードを利用するほど、表示させるデザインのバリエーションを増やすことが可能となる。更に、特定の店舗での利用によりポイントが加算されるため、ユーザは特定の店舗での利用を増やすほどスキンの取得機会を増やすことが可能となる。この結果、ユーザによるプリペイドカードの利用（特に、特定の店舗での利用）が促進されることとなり、商品やサービスの販売を促進させることが可能となる。
【０１５０】
つまり、利用状態管理アプリケーションを利用するユーザの興趣性を向上させることで、特定のプリペイドカードの販売促進と利用促進ならびに、商品やサービスの販売促進を実現することが可能となる。
【０１５１】
［第２の実施形態］
上記第１の実施形態に係る管理サーバでは、ユーザの携帯端末にプリペイドカード管理情報及びスキンを送信する構成とした。しかしながら、本発明はこれに限定されず、スキンに含まれるデザインを含むコンテンツ全般を提供するコンテンツ提供業者が取り扱う商品、サービスの広告を送信する構成としてもよい。
【０１５２】
特定の描画内容が描画されたプリペイドカードを購入したユーザにとって、当該描画内容に含まれるデザインを含むコンテンツ全般を提供するコンテンツ提供業者が取り扱う商品、サービスは、購買意欲が刺激される商品、サービスである可能性が高い。このため、当該ユーザに対する当該商品、サービスの広告は、当該商品、サービスの販売を促進するうえで有効である。以下、本実施形態の詳細について説明する。
【０１５３】
＜１．管理サーバの機能構成＞
図１８は、第２の実施形態に係る管理サーバ１８１０の機能構成を示す図である。図１８に示す機能構成のうち、上記第１の実施形態において図７を用いて説明した機能構成における構成要素と同じ構成要素については同じ参照番号を付すこととし、ここでは説明を省略する。
【０１５４】
図７との相違点は、広告部１８０１が含まれる点である。広告部１８０１は、コンテンツ提供業者が取り扱う商品、サービスの広告を送信する。広告部１８０１では、コンテンツ提供業者が提供するコンテンツに基づくデザインが描画されたプリペイドカードを購入したユーザに対して、広告を送信する。
【０１５５】
図１９は、広告部１８０１が広告を送信するタイミングを示した図である。なお、ここでは説明の簡略化のため、二人のユーザに広告を送信する場合について説明する。一方のユーザは、ユーザＩＤ＝"ＵＩＤ−Ｘ"を有し、プリペイドカードＩＤ＝"Ｃ０００００１"のプリペイドカード（コンテンツＩＤ＝"ＡＡＡＡ"のコンテンツに基づくデザインが描画されたプリペイドカード）を購入しているものとする。また、他方のユーザは、ユーザＩＤ＝"ＵＩＤ−Ｙ"を有し、プリペイドカードＩＤ＝"Ｃ０００３０１"のプリペイドカード（コンテンツＩＤ＝"ＤＤＤＤ"のコンテンツに基づくデザインが描画されたプリペイドカード）を購入しているものとする。
【０１５６】
ここで、図１９（ａ）に示すように、コンテンツＩＤ＝"ＡＡＡＡ"のコンテンツを提供するコンテンツ提供業者が広告期間１９０１を設け、プリペイドカード管理業者に広告の送信を依頼したとする。
【０１５７】
そして、広告期間１９０１において、ユーザＩＤ＝"ＵＩＤ−Ｘ"のユーザが、プリペイドカードＩＤ＝"Ｃ０００００１"の利用状態管理アプリケーション１３１を起動させたとする。広告部１８０１では、スキン管理情報５００を参照することにより、プリペイドカードＩＤ＝"Ｃ０００００１"がコンテンツＩＤ＝"ＡＡＡＡ"と関連付けられていることを認識する。これにより、広告部１８０１では、ユーザＩＤ＝"ＵＩＤ−Ｘ"のユーザの携帯端末１３０に対して、コンテンツＩＤ＝"ＡＡＡＡ"のコンテンツを提供するコンテンツ提供業者より依頼された広告を送信する。
【０１５８】
なお、広告期間１９０１においては、ユーザＩＤ＝"ＵＩＤ−Ｙ"のユーザも、プリペイドカードＩＤ＝"Ｃ０００３０１"の利用状態管理アプリケーション（ここでは、利用状態管理アプリケーション１３１'とする）を起動させている。しかしながら、スキン管理情報５００によれば、プリペイドカードＩＤ＝"Ｃ０００３０１"はコンテンツＩＤ＝"ＤＤＤＤ"と関連付けられている。このため、広告期間１９０１中であっても、プリペイドカードＩＤ＝"Ｃ０００３０１"の利用状態管理アプリケーション１３１'の起動中に、コンテンツＩＤ＝"ＡＡＡＡ"のコンテンツを提供するコンテンツ提供業者より依頼された広告が送信されることはない。
【０１５９】
一方、図１９（ｂ）に示すように、プリペイドカードＩＤ＝"Ｃ０００３０１"の利用状態管理アプリケーション１３１'が起動したタイミングは、広告期間１９０２中である。広告期間１９０２は、プリペイドカード管理業者が、コンテンツＩＤ＝"ＤＤＤＤ"のコンテンツを提供するコンテンツ提供業者より広告の送信を依頼されている期間である。
【０１６０】
このため、広告部１８０１では、ユーザＩＤ＝"ＵＩＤ−Ｙ"のユーザの携帯端末（ここでは、携帯端末１３０'とする）に対して、コンテンツＩＤ＝"ＤＤＤＤ"のコンテンツを提供するコンテンツ提供業者より依頼された広告を送信する。
【０１６１】
このように、ユーザＩＤとコンテンツＩＤとが予め関連付けられたスキン管理情報５００を利用することで、ユーザに対して、有益な広告を送信することが可能となる。
【０１６２】
＜２．広告表示処理の流れ＞
次に、広告部１８０１による広告表示処理の流れについて説明する。図２０は、広告部１８０１による広告表示処理の流れを示すフローチャートである。ステップＳ２００１において、利用状態判定部７２１は、プリペイドカード管理情報の送信要求を受信したか否かを判定する。ステップＳ２００１において、利用状態判定部７２１がプリペイドカード管理情報の送信要求を受信していないと判定した場合には、送信要求を受信するまで待機する。
【０１６３】
一方、ステップＳ２００１において、プリペイドカード管理情報の送信要求を受信したと判定した場合には、ステップＳ２００２に進む。ステップＳ２００２において、利用状態判定部７２１は、利用状態管理アプリケーション１３１が起動したと判定する。また、送信要求に含まれるプリペイドカードＩＤ及びユーザＩＤを抽出して、広告部１８０１に通知する。これにより、広告部１８０１は、利用状態判定部７２１より通知されたプリペイドカードＩＤを識別する。また、ステップＳ２００３において、広告部１８０１は、スキン管理情報５００を参照することにより、識別したプリペイドカードＩＤに関連付けられたコンテンツＩＤを特定する。
【０１６４】
ステップＳ２００４において、広告部１８０１は、ステップＳ２００３において特定したコンテンツＩＤのコンテンツを提供するコンテンツ提供業者が、現在、広告期間中であるか否かを判定する。
【０１６５】
ステップＳ２００４において、広告期間中であると判定された場合には、ステップＳ２００５に進み、コンテンツ提供業者の広告をユーザ１６０の携帯端末１３０に送信する。なお、広告部１８０１では、ステップＳ２００２において利用状態判定部７２１より通知されたユーザＩＤにより特定される携帯端末１３０に、コンテンツ提供業者の広告を送信する。
【０１６６】
一方、ステップＳ２００４において、広告期間中でないと判定された場合には、広告を送信することなく広告表示処理を終了する。
【０１６７】
＜３．携帯端末の表示画面の説明＞
次に、広告が表示された場合の、携帯端末１３０の表示画面の一例について説明する。図２１は、広告が表示された場合の、携帯端末１３０の表示画面の一例を示す図である。
【０１６８】
図２１に示すように、利用状態管理アプリケーション１３１が起動し、表示画面１４１０において、初期画面として残高画面１５３０が表示されると、広告表示領域２１０１が表示され、コンテンツ提供業者の広告が表示される。
【０１６９】
広告表示領域２１０１は、"履歴"ボタン１５４１が押圧され履歴画面１５４０が表示された状態でも、"設定"ボタン１６２１が押圧され、スキン設定画面１６２０が表示された状態でも、継続して表示されるものとする。ただし、消去ボタン２１１１をタップすることで、任意のタイミングで消去することができるものとする。
【０１７０】
＜４．まとめ＞
以上の説明から明らかなように、本実施形態に係る管理サーバ１８１０では、
・コンテンツ提供業者の広告期間中に、携帯端末において、対応する利用状態管理アプリケーションが起動された場合、当該携帯端末に対して、当該コンテンツ提供業者の広告を送信する構成とした。
・対応する利用状態管理アプリケーションか否かは、プリペイドカードＩＤとコンテンツＩＤとが関連付けられているスキン管理情報を参照することで判定する構成とした。
【０１７１】
これにより、ユーザは、購入したプリペイドカードに描画された描画内容に含まれるデザインを含むコンテンツ全般を提供するコンテンツ提供業者が取り扱う商品、サービスの広告を閲覧することができる。
【０１７２】
［第３の実施形態］
上記第１及び第２の実施形態においては、ユーザが１枚のプリペイドカードを購入した場合について説明したが、ユーザが購入するプリペイドカードは１枚とは限られない。複数のプリペイドカードを購入した場合にあっては、それぞれのプリペイドカードについてユーザ登録を行うことができるものとする。この場合、プリペイドカードごとに、利用状態管理アプリケーションのアイコンが表示画面１４１０上に表示される。
【０１７３】
したがって、同じユーザであっても、例えば、広告期間中のプリペイドカードの利用管理アプリケーションを起動した場合には広告が送信され、広告期間中でないプリペイドカードの利用管理アプリケーションを起動した場合には広告が送信されることはない。
【０１７４】
なお、利用状態管理アプリケーションのアイコンは、プリペイドカードごとに用意される場合に限定されない。例えば、購入したプリペイドカードの数に関わらず、利用状態管理アプリケーションのアイコンは１つのみ表示させる構成としてもよい。この場合、いずれのプリペイドカードに対応するスキンを適用させるかは、利用状態管理アプリケーション起動後にユーザが選択できるように構成されているものとする。
【０１７５】
具体例を挙げて説明する。例えば、ユーザ１６０がプリペイドカードＩＤ＝"Ｃ０００００１"と"Ｃ０００３０１"の２枚のプリペイドカードを購入したとする。この場合、利用状態管理アプリケーション１３１では、それぞれのプリペイドカードに対応するスキンを選択的に設定することができる。
【０１７６】
このため、プリペイドカードＩＤ＝"Ｃ０００００１"のプリペイドカードに対応するスキンを設定していた場合には、利用状態管理アプリケーション１３１を起動した際に、コンテンツＩＤ＝"ＡＡＡＡ"に基づくスキンが適用されることとなる。同様に、プリペイドカードＩＤ＝"Ｃ０００３０１"のプリペイドカードに対応するスキンを設定していた場合には、利用状態管理アプリケーション１３１を起動した際に、コンテンツＩＤ＝"ＤＤＤＤ"に基づくスキンが適用されることとなる。
【０１７７】
なお、プリペイドカードＩＤ＝"Ｃ０００００１"のプリペイドカードに対応するスキンを設定していた場合、利用状態管理アプリケーション１３１を起動すると、コンテンツＩＤ＝"ＡＡＡＡ"のコンテンツを提供するコンテンツ提供者から広告が送信される。
【０１７８】
一方、プリペイドカードＩＤ＝"Ｃ０００３０１"のプリペイドカードに対応するスキンを設定していた場合、利用状態管理アプリケーション１３１を起動すると、コンテンツＩＤ＝"ＤＤＤＤ"のコンテンツを提供するコンテンツ提供者から広告が送信される。
【０１７９】
つまり、同じユーザが複数のプリペイドカードを購入していた場合、いずれのプリペイドカードに対応するスキンを設定するかによって、送信される広告も異なってくることとなる。
【０１８０】
また、上記第１及び第２の実施形態では、プリペイドカードごとに利用履歴を集計する構成としたが、複数のプリペイドカードの利用履歴を統合して集計する構成としてもよい。具体的には、ユーザにより購入された複数のプリペイドカードのプリペイドカードＩＤが、いずれも同じコンテンツＩＤに関連付けられていた場合、利用状態判定部７２１では、それぞれのプリペイドカード管理情報における利用履歴の集計結果を統合してもよい。例えば、２枚のプリペイドカードのプリペイドカードＩＤが、いずれも同じコンテンツＩＤに関連付けられていた場合、一方のプリペイドカードの利用金額と他方のプリペイドカードの利用金額の合計値に基づいて、ランクを判定するように構成してもよい。
【０１８１】
また、上記第１及び第２の実施形態においては、プリペイドカードに描画された描画内容に含まれるデザインを、スキンとして携帯端末上に表示させる構成としたが、本発明はこれに限定されない。例えば、プリペイドカードに描画された描画内容に含まれるデザインと関連する音声データや、画像データ、動画データ、テキストデータを、スキンとは別個に携帯端末上に出力させる構成としてもよい。具体的には、利用状態管理アプリケーション１３１を起動した場合に、プリペイドカードに描画された描画内容に含まれるデザインと関連する音楽が流れたり、関連する動画像や文字が表示されたりするように構成してもよい。このように、プリペイドカードに描画された描画内容に含まれるデザインと関連するデータが携帯端末上で出力される構成とすることで、ユーザの興趣性が更に向上する。
【０１８２】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１８３】
１００            ：管理システム
１１０            ：管理サーバ
１１１            ：カード管理プログラム
１１２            ：端末管理プログラム
１１３            ：プリペイドカード管理情報ＤＢ
１１４            ：スキン管理ＤＢ
１２０            ：コンテンツ提供サーバ
１２１            ：コンテンツ管理プログラム
１２２            ：コンテンツＤＢ
１３０            ：携帯端末
１３１            ：利用状態管理アプリケーション
１３２            ：取得スキンＤＢ
１４０            ：情報端末
１４１            ：カードリーダ
４００            ：プリペイドカード管理情報
５００            ：スキン管理情報
６００            ：取得スキンの一覧情報
７１１            ：カード情報登録部
７１２            ：利用状態記録部
７２１            ：利用状態判定部
７２２            ：スキン送信部
１２０１          ：ユーザ登録部
１２０２          ：スキン取得部
１２０３          ：プリペイドカード管理情報取得部
１２０４          ：表示制御部
１４１０          ：表示画面
１４２０          ：アイコン
１４３０          ：ユーザ登録画面
１５２０          ：アイコン
１５３０          ：残高画面
１５４０          ：履歴画面
１６１０          ：お知らせ画面
１６２０          ：スキン設定画面
１８０１          ：広告部
１８１０          ：管理サーバ
２１０１          ：広告表示領域
【図１】
2016062473.tif 000003
【図２】
2016062473.tif 000004
【図３】
2016062473.tif 000005
【図４】
2016062473.tif 000006
【図５】
2016062473.tif 000007
【図６】
2016062473.tif 000008
【図７】
2016062473.tif 000009
【図８】
2016062473.tif 000010
【図９】
2016062473.tif 000011
【図１０】
2016062473.tif 000012
【図１１】
2016062473.tif 000013
【図１２】
2016062473.tif 000014
【図１３】
2016062473.tif 000015
【図１４】
2016062473.tif 000016
【図１５】
2016062473.tif 000017
【図１６】
2016062473.tif 000018
【図１７】
2016062473.tif 000019
【図１８】
2016062473.tif 000020
【図１９】
2016062473.tif 000021
【図２０】
2016062473.tif 000022
【図２１】
2016062473.tif 000023